(57)【要約】【課題】コンテンツ再生機器の動作タイミングと同期を合わせ、さらにＨＭＩ機器によるメディアの早送り・巻き戻し操作などのユーザーの操作割り込みにも対応できる車載オーディオシステムを提供する。【解決手段】車載オーディオシステムの音響再生装置１２は、コンテンツ再生機器１１の出力コンテンツ情報と前記コンテンツ再生機器１１に対する制御命令とを受信することで、現在の出力コンテンツに適合した音響特性設定データと該制御命令から判断される現在以降の出力コンテンツに適合した音響特性設定データとを、音響特性値設定データベースから取得し、前記音響再生装置が備える複数の音響特性設定部２１０にそれぞれ設定した上で、前記コンテンツ再生機器１１に該制御命令を送信することによって、コンテンツ再生機器１１のコンテンツ出力制御状態と、音響再生装置１２の音響特性設定データ状態との同期を合わせることができるものである。【選択図】図１
2007318371.tif 000002
【特許請求の範囲】
【請求項１】
オーディオコンテンツ情報を再生するコンテンツ再生機器と、このコンテンツ再生機器より出力されたオーディオ信号を再生する音響再生装置と、前記コンテンツ再生機器を制御するＨＭＩ機器と、前記音響再生装置の音響特性設定データがコンテンツの所定情報に区分された上で格納されている音響特性値データベースとが相互に通信可能な車載用オーディオシステムであって、前記ＨＭＩ機器はコンテンツ再生機器の制御命令を前記音響再生装置に送信し、前記コンテンツ再生機器は再生コンテンツ情報を所定のタイミングで前記音響再生装置に送信し、前記音響再生装置は、少なくとも独立して制御可能な複数の音響特性設定部と、前記複数の音響特性設定部へのオーディオ信号入力を切り替え可能なオーディオ信号入力部とを備え、受信した再生コンテンツ情報とコンテンツ再生機器の制御命令とに対応付けて、前記音響特性設定部に最適な音響特性設定データを設定し、前記コンテンツ再生機器へ制御命令を送信することを特徴とする車載オーディオシステム。
【請求項２】
コンテンツ再生機器はコンテンツメディア読み込みロード時に、前記コンテンツメディアに含まれる音響コンテンツ情報を特定するためのキー情報を音響再生装置に送信し、この音響再生装置は前記キー情報から前記音響コンテンツ情報に含まれるディスクトラックと、トラック時間と、トラックに対応する音響特性設定データを音響特性値データベースから決定、取得し、複数の音響特性設定部へ設定することを特徴とする請求項１に記載の車載オーディオシステム。
【請求項３】
音響再生装置はＨＭＩ機器から、コンテンツ再生命令を受信した時に、オーディオ信号入力部を再生されるトラックに対応する音響特性設定データが格納された音響特性設定部へ入力するように切り替え、コンテンツ再生機器にコンテンツ再生命令を送信することを特徴とする請求項１に記載の車載オーディオシステム。
【請求項４】
コンテンツ再生機器はコンテンツ出力動作中において、少なくとも出力コンテンツのトラックとタイムスタンプを含むコンテンツ出力情報を音響再生装置に定期的に送信し、前記音響再生装置は前記コンテンツ再生機器が出力しているトラック内の所定時間を経過した場合に、現在のオーディオ信号が入力されている第１の音響特性設定部とは異なる第２の音響特性設定部に、次に出力されるトラックに対応する音響特性設定データを設定し、トラック切り替えが判断された時に、前記オーディオ信号を前記第２の音響特性設定部に入力するように切り替えることを特徴とする請求項１に記載の車載オーディオシステム。
【請求項５】
音響再生装置はＨＭＩ機器からコンテンツのトラックアップ・ダウン命令を受信した時に、現在の出力コンテンツの次の出力トラックに対応する音響特性設定データが複数の音響特性設定部のいずれにも設定されていない場合は、次の出力トラックに対応する音響特性設定データを前記いずれかの音響特性設定部に設定した後に、コンテンツ再生機器に、前記トラックアップ・ダウン命令を送信することを特徴とする請求項１に記載の車載オーディオシステム。
【請求項６】
複数の音響特性設定部が３つである場合、いずれかの１つの音響特性設定部は出力されるコンテンツの現在のトラックに対応する音響特性設定データ用に使用され、いずれかの１つの音響特性設定部は出力されるコンテンツの現在のトラックより１つ前のトラックに対応する音響特性設定データ用に使用され、いずれかの１つの音響特性設定部は出力されるコンテンツの現在のトラックより１つ後のトラックに対応する音響特性設定データ用に使用されることを特徴とする請求項１〜５に記載の車載オーディオシステム。
【発明の詳細な説明】
【技術分野】
【０００１】
本発明は、ＨＭＩ機器を通じ操作するオーディオコンテンツ再生機器の再生コンテンツの楽曲やチャプターに合わせた音響特性データを音響再生装置に設定する車載オーディオシステムに関する。
【背景技術】
【０００２】
従来の車載オーディオシステムに用いられる再生装置では、入力されるオーディオソースが選択されるに従って、最適な音響エフェクト設定を予め記憶されたメモリからＤＳＰへ設定することにより、そのオーディオソース種別に適合する音響エフェクト効果を得るような構成が知られている。図１２に従来の車載オーディオシステムの構成を示す。
【０００３】
図１２において、オーディオコンテンツ再生機器群１２０からの再生機器の選択に応じ、選択されたコンテンツ再生機器の種別がマイコン１２８に入力され、その再生機器に応じた音響エフェクトデータを予めメモリ１２９に記憶された中から選択してＤＳＰ１２４に設定し、スイッチ１２１を選択されたコンテンツ再生機器からの入力がされるように切り替える。また、操作スイッチ１３０により、ユーザーからの直接操作によりリアルタイムに音響エフェクトデータを設定変更できるようにしていた。
【０００４】
なお、この出願に関する先行技術文献情報としては、例えば、特許文献１が知られている。
【特許文献１】特許第３２４０６１８号公報
【発明の開示】
【発明が解決しようとする課題】
【０００５】
しかしながら、前記従来の車載オーディオシステムでは、オーディオコンテンツ再生機器の種別やそのコンテンツのソースモードによって、音響特性を変更することはできるものの、コンテンツ再生メディアのトラックやチャプター単位毎に音響特性を自動的に設定することは、コンテンツ再生機器の動作タイミングと同期を合わせることはできないので困難である。さらに、ＨＭＩ機器によるコンテンツ再生機器への早送り・巻き戻しなどのトラックアップ・ダウンのような割り込み操作に同期して、トラックに応じた音響特性を設定することはできないという課題があった。
【０００６】
本発明は上記課題に鑑み、コンテンツ再生機器のＨＭＩ機器による割り込み制御タイミングに適合しながら、出力されるオーディオコンテンツの楽曲トラックやシーンチャプターに合わせた音響特性設定データを音響再生装置に設定可能にする車載オーディオシステムを提供することを目的とする。
【課題を解決するための手段】
【０００７】
前記従来の課題を解決するために、本発明の車載オーディオシステムにおいて、音響再生装置の音響特性設定データがコンテンツの所定情報に区分され、格納されている音響特性値データベースを備え、ＨＭＩ機器はコンテンツ再生機器の制御命令を音響再生装置に送信し、コンテンツ再生機器は再生コンテンツ情報を所定のタイミングで前記音響再生装置に送信し、前記音響再生装置は少なくとも独立して制御可能な複数の音響特性設定部を有し、受信した前記再生コンテンツ情報と前記コンテンツ再生機器の制御命令とに対応付けて、前記複数の音響特性設定部に出力コンテンツのトラックに応じた音響特性設定値を設定し、前記コンテンツ再生機器へ該制御命令の送信を行うものである。
【０００８】
以上の構成によって、前記音響再生装置は、コンテンツ再生機器の出力コンテンツ情報と、前記コンテンツ再生機器に対する制御命令とを受信することで、現在の出力コンテンツに適合した音響特性設定データと、該制御命令から判断される現在以降の出力コンテンツに適合した音響特性設定データとを、前記音響特性値設定データベースから取得し、前記複数の音響特性設定部にそれぞれ設定した上で、前記コンテンツ再生機器に該制御命令を送信することによって、コンテンツ再生機器のコンテンツ出力制御状態と、音響再生装置の音響特性設定データ状態の同期を合わせることができるものである。
【発明の効果】
【０００９】
本発明の車載オーディオシステムによれば、前記コンテンツ再生機器の再生コンテンツの楽曲トラックやシーンチャプターに同期して最適な音響特性を設定するとともに、コンテンツ再生機器がユーザーによる割り込み操作を受けても、同期を合わせた音響特性値を設定できるものである。
【発明を実施するための最良の形態】
【００１０】
以下本発明を実施するための最良の形態について、図面を参照しながら説明する。
【００１１】
（実施の形態１）
次に具体的な動作事例について、図１〜図９を用いて説明する。
【００１２】
図１は実施の形態１における車載オーディオシステムの動作シーケンスの例である。
【００１３】
図２は、音響再生装置１２のブロック図である。
【００１４】
図３〜図８は前記音響再生装置１２のマイコンが行うソフトウェア動作フローの例を示す図である。
【００１５】
図２において、音響再生装置１２に入力されるオーディオ信号は、ＡＤ変換器２０１を通じ、オーディオ入力切替部２０２に入力される。前記オーディオ入力切替部２０２は、マイコン２０５の制御によって音響周波数がゲイン特性を設定する独立した音響特性設定部２１０であるＤＳＰ１（２１１）またはＤＳＰ２（２１２）のいずれかのＤＳＰを選択して、入力を切り替えるものである。前記音響特性設定部２１０から出力されたオーディオ信号は、ＤＡ変換器２０３、増幅部２０４により、オーディオ出力される。また、マイコン２０５は通信Ｉ／Ｆ部２０７から後述する制御信号を送受するとともに、前記音響特性設定部２１０のそれぞれのＤＳＰへ所定の音響特性設定データを設定する動作を行う。
【００１６】
図１において、コンテンツ再生機器１１へディスクがロードされると（Ｐ１１１）、コンテンツ再生機器１１はロードされたディスクのコンテンツを識別し、ディスク情報を取得する処理を行う（Ｐ１１２）。コンテンツ再生機器１１はロードされたディスクに関し、少なくともディスクのタイトル識別子とオーディオ出力トラックおよびトラック毎の再生時間が含まれるディスク情報とを、図示しないデータベースより取得可能なものとする。ディスク情報を取得したコンテンツ再生機器１１は前記ディスク情報信号Ｓ１０を音響再生装置１２へ送信する。
【００１７】
前記ディスク情報信号Ｓ１０を受信した音響再生装置１２はディスクロード情報受信処理（Ｐ１２１）を行う。
【００１８】
図３は、ディスク情報受信処理（Ｐ１２１）についての動作フローである。
【００１９】
図３において、ディスク情報を受信した音響再生装置１２は、前記ディスクタイトル識別子をキーとして、図示しない音響特性値データベースから合致するデータを検索する（Ｓ３１）。なお、前記音響特性値データベースにはディスクタイトル識別子と前記ディスクのオーディオコンテンツのトラック別に前記音響特性設定部２１０のＤＳＰへ所定の音響特性を設定する音響特性値設定データが格納されているものとする。該当データの検索終了後、該ディスクのディスクインデックステーブル（図９）を記憶部２０６に作成する（Ｓ３２）。また、前記音響特性値設定データを全てのディスクトラックについて取得すると、記憶部２０６の容量に許容できない場合は、ディスクインデックステーブルのみ作成し、必要な音響特性値設定データについては、部分的にその都度前記音響特性データベースより該当データを取得すればよい。ディスクインデックステーブル作成完了後、第１のＤＳＰ（図２  ＤＳＰ１とする）にディスクインデックスポインタが指す音響特性値設定データを設定し（Ｓ３３）、ディスクインデックスポインタをインクリメントする（Ｓ３４）。以上のように音響特性設定部２１０に含まれる全てのＤＳＰについて、音響特性値設定データをディスクトラックについてシーケンシャルに設定し（Ｓ３５）、ディスクインデックスポインタが先頭トラックを指すようにする（Ｓ３６）。
【００２０】
なお、前記ディスクインデックステーブルの構成例を図９（Ｔ１）に示す。
【００２１】
本テーブルは、ディスクに含まれるオーディオコンテンツのトラックナンバーとそのトラック時間、およびそのトラックの音響特性設定データを即座に特定できるインデックス情報からなり、マイコン２０５はディスクインデックスポインタにて、該当トラックレコードを取得、参照できるようにしている。
【００２２】
以上のようにして、音響再生装置１２は音響特性設定を準備完了とする（Ｐ１２２）。
【００２３】
次に、図１ではＨＭＩ機器１０からディスクプレイ命令をユーザー指示により感知されると（Ｐ１０１）、該制御信号（Ｓ１１）を音響再生装置１２に送信するようになっている。該制御信号（Ｓ１１）を受信した音響再生装置１２は、コンテンツ再生機器操作情報受信処理を行う（Ｐ１２３）。
【００２４】
図４は音響再生装置１２が実行するコンテンツ再生機器操作情報受信処理フローを示したものである。図４において、受信した命令がコンテンツ再生機器１１のコンテンツ出力を時系列的に順方向に行うもの｛例えば、ＰＬＡＹ（再生）、ＦＦ（早送り）、トラックアップ｝であるか、逆方向に行うもの｛例えばＲＥＷ（巻き戻し）、トラックダウン｝であるかを識別し（Ｓ４１、Ｓ４２）、そのコンテンツ出力方向を記憶する（Ｓ４３、Ｓ４６）。本動作フローでは出力トラックを即座にスキップさせるトラックアップ／ダウン命令については、応答速度を考慮し、別途、その処理を切り出すようにしている（Ｓ４５）。図１では、ディスクプレイ命令を受信したので、コンテンツ出力方向を「時系列順方向」と記憶し、コンテンツ出力操作命令応答処理（Ｓ４８）を実行する。
【００２５】
図８はコンテンツ出力操作命令応答処理を示す動作フローである。
【００２６】
図８において、コンテンツ出力操作命令をプレイ命令と、ＦＦ（早送り）、ＲＥＷ（巻き戻し）命令とで識別している（Ｓ８１、Ｓ８３）。プレイ命令を受信した場合は、出力トラック内の経過チェック時間をトラック内の中点時間と設定する（Ｓ８２）。中点時間は、前記ディスクインデックステーブルＴ１により、ディスクインデックスポインタが指すレコードのトラック時間から設定可能である。
【００２７】
以上の処理を行った後、該ディスクプレイ命令（プレイスタート信号Ｓ１２）をコンテンツ再生機器１１へ送信する（Ｓ８５）。
【００２８】
前記プレイスタート信号Ｓ１２を受信したコンテンツ再生機器１１はオーディオストリーム出力を開始する（Ｐ１１３）。コンテンツ再生機器１１はオーディオストリーム出力中において、少なくとも現在の出力トラック／チャプターと出力タイムスタンプ情報を有するディスクプレイ情報信号（Ｓ１３）を、随時（少なくとも数１０ｍｓオーダーにて）送信する。
【００２９】
一方、音響再生装置１２は前記ディスクプレイ情報信号（Ｓ１３）を受信しながら、音響特性データ更新判断処理を実行している（Ｐ１２４）。
【００３０】
図５は音響特性データ更新判断処理の動作フローであり、第１のＤＳＰにオーディオ入力中の場合を示す。
【００３１】
図５において、前記ディスクプレイ情報信号に含まれるタイムスタンプ情報にて、前記経過チェック時間を通過するまでチェックする（Ｓ５１）。
【００３２】
なお、経過チェックはコンテンツの出力方向が順方向であれば、チェック時間を経過後、逆方向であれば経過前をチェック時間通過とみなすように行う。
【００３３】
前記チェック時間のコンテンツ出力を確認したら、コンテンツの現在の出力方向に応じ（Ｓ５２）、順方向であるので、第２のＤＳＰに前記ディスクインデックステーブルのディスクインデックスポインタの次のレコードの音響特性設定データの設定有無を確認する（Ｓ５３）。未設定であれば、第２のＤＳＰに次の出力トラックの音響特性設定データを設定する（Ｓ５５、Ｓ５６）。
【００３４】
以上の処理により、音響再生装置１２はコンテンツ出力情報をチェックし、前記ディスクプレイ情報のタイムスタンプ情報により、出力トラックの切り替えポイント付近を受信した場合、音響特性設定データ切り替え処理（Ｐ１２５）を開始する。
【００３５】
図６は音響特性設定データ切り替え処理の動作フローである。
【００３６】
図６において、前記ディスクプレイ情報からトラック切り替えポイント（Ｐ１１４）のタイムスタンプに近づいたことをチェックし（Ｓ６１）、所定の切り替えタイムスタンプであれば、オーディオ信号が無音であることをチェックしたうえで（Ｓ６２）、オーディオ入力切替部２０２を第２のＤＳＰに入力するように設定し（Ｓ６３）、次の出力トラックの音響特性値データによる音響特性が反映されたオーディオ信号が出力される。
【００３７】
次に、コンテンツの出力方向をチェックし、前記ディスクインデックステーブルのディスクインデックスポインタを該出力トラックのレコードを指すように更新する（Ｓ６４〜Ｓ６６）。
【００３８】
以上までの説明では図１のディスクロードからＨＭＩ機器１０のディスクプレイ操作命令までのシーケンスについて説明したが、ＦＦ（早送り）操作命令を受けた場合は、図８のコンテンツ出力操作命令応答処理のステップＳ８４において、出力トラック内の経過チェック時間をコンテンツの出力速度がプレイ命令受信時よりも速いことを考慮して、トラック内の中点時間よりも前に設定して、第２のＤＳＰに次のトラックの音響特性値設定データの設定時間に余裕をもたせるように行う。
【００３９】
一方、ＲＥＷ（巻き戻し）命令を受信した場合は、図４のコンテンツ再生機器操作受信処理において、コンテンツ出力方向を「時系列逆方向」として記憶させる（Ｓ４６）。次に、図８のコンテンツ出力操作命令応答処理のステップＳ８４において、出力トラック内の経過チェック時間をコンテンツの出力速度がプレイ命令受信時よりも速いことと、コンテンツの出力方向が逆方向であることを考慮して、トラック内の中点時間よりも後に設定し、図５の音響特性設定データ更新判断処理のステップＳ５４において、第２のＤＳＰに前記ディスクインデックテーブルのディスクインデックスポインタの一つ前のトラックの音響特性値設定データが設定されていることを確認し、未設定であれば、該音響特性値設定データを第２のＤＳＰに設定するようにする（Ｓ５５、Ｓ５６）。次に、図６の音響特性設定データ切り替え処理においては、オーディオ入力切り替えを第２のＤＳＰに入力設定後に、コンテンツの現在の出力方向が逆方向であるため、ディスクインデックスポインタをデクリメントして、現在の出力トラックと同期するようにさせる。
【００４０】
次に、出力トラックを即座にスキップさせるトラックアップ／ダウン命令を受信した場合の処理について、図７を用いて説明する。
【００４１】
図７において、ステップＳ７１でトラック操作方向（アップ／ダウン）を判定し、第２のＤＳＰにそれぞれのトラック操作命令に応じて、次の出力トラックの音響特性設定データが設定されているか確認し（Ｓ７２、Ｓ７３）、未設定であれば、該音響特性設定データを第２のＤＳＰに設定する（Ｓ７４、Ｓ７５）。
【００４２】
次にコンテンツの出力方向を「時系列順方向」とし、オーディオ入力切替部２０２を第２のＤＳＰに入力設定し、該トラックアップ／ダウン命令をコンテンツ再生機器１１へ送信する（Ｓ７６〜Ｓ７８）。
【００４３】
以上のようにして、コンテンツ再生機器のＨＭＩ機器による操作命令とコンテンツ再生機器のコンテンツ出力情報とを音響再生装置が受信することで、コンテンツ再生機器のコンテンツ出力方向と出力速度を判別しながら、音響再生装置は現在のオーディオ信号が入力されていないＤＳＰに対して、都度次の出力トラックの音響特性データを適時に設定して、コンテンツ再生機器に該操作命令を送信することによって、コンテンツ再生機器の出力トラックに最適な音響特性設定でオーディオ出力を行うことができる。
【００４４】
（実施の形態２）
次に実施の形態２について説明する。
【００４５】
なお、本実施の形態では図示しないが、実施の形態１の構成における、図２に示した音響再生装置の音響特性設定部２１０において、独立したＤＳＰを３つ（ＤＳＰ１〜３）有する構成とする。
【００４６】
本形態では、前記実施の形態１で説明した音響再生装置のマイコンによるソフトウェア処理（図３、図４）は同じ処理を有し、図５で示した音響特性設定データ更新判断処理は行わないものとし、図６の音響特性設定データ切り替え処理と図７のトラックアップ／ダウン命令応答処理が異なるものである。
【００４７】
図６、図７に相当する処理について、図１０、図１１を用いて説明する。
【００４８】
図１０は音響特性設定データ切り替え処理の動作フローであり、第１のＤＳＰにコンテンツ再生機器が現在出力しているトラックの音響特性値データが設定されており、第２のＤＳＰにコンテンツ再生機器が現在出力している時系列次トラックの音響特性値データが設定されており、第３のＤＳＰにコンテンツ再生機器が現在出力している時系列前トラックの音響特性値データが設定されている状態とする。トラックの切り替えポイントのチェック（Ｓ１０１、Ｓ１０２）については実施の形態１と同様である。ステップＳ１０３において、コンテンツの現在の出力方向を判断し、時系列順方向であれば、オーディオ入力切替部を第２のＤＳＰに入力設定し、ディスクインデックスポインタを次のトラックレコードを指すようにインクリメントさせ、第３のＤＳＰにディスクインデックスポインタが指す次のトラックの音響特性値データの設定処理を開始させる（Ｓ１０４、Ｓ１０６、Ｓ１０８）。
【００４９】
一方、コンテンツの現在の出力方向が逆方向であれば、オーディオ入力切替部を第３のＤＳＰに入力設定し、ディスクインデックスポインタを前のトラックレコードを指すようにデクリメントさせ、第２のＤＳＰにディスクインデックスポインタが指す前のトラックの音響特性値データの設定処理を開始させる（Ｓ１０５、Ｓ１０７、Ｓ１０９）。
【００５０】
このように、３つの音響特性設定部である各ＤＳＰに現在の出力トラックと、その前後のトラックの音響特性値データを常に設定するように処理を行うものである。
【００５１】
図１１はトラックアップ／ダウン命令応答処理の動作フローであり、３つのＤＳＰには図１０でも説明した通りに、現在の出力トラックとその前後のトラックに対応するデータが設定されているものとする。
【００５２】
図１１において、トラック操作命令を受信すると、その操作方法（アップ／ダウン）を判別し（Ｓ１１１）、トラックアップであれば、即座にオーディオ入力切替部を第２のＤＳＰに入力設定するようにし、ディスクインデックスポインタをインクリメントさせ、第３のＤＳＰにディスクインデックスポインタが指す次のトラックレコードの音響特性値データの設定を開始し、コンテンツ出力方向を「時系列順方向」とし、トラックアップ命令をコンテンツ再生機器に送信する処理を行う（Ｓ１１２、Ｓ１１４、Ｓ１１６、Ｓ１１８、Ｓ１１９）。
【００５３】
ここで、ステップＳ１１６の第３のＤＳＰへの音響特性値データ設定処理は、データの設定完了まで待つ必要はなく、実施の形態１と比して、ステップＳ１１９のコンテンツ再生機器への命令送信を即座に行うことができるため、ユーザーへの操作応答を早めることができる。なお、トラックダウン命令受信時における処理説明については、トラックアップ処理と同様な処理のため省略する（Ｓ１１３、Ｓ１１５、Ｓ１１７）。
【００５４】
以上のように、本実施の形態では３つの音響特性設定部である各ＤＳＰに、現在の出力トラックとその前後のトラックの音響特性値データを常に設定するように処理を行うので、前述のトラック操作命令受信時や早送り、巻き戻しなどのコンテンツ高速出力動作をＨＭＩ機器の操作により、トラックの切り替え前後で頻繁に切り替えるような操作割り込みを受信した場合においても、頻繁なＤＳＰの設定データの入れ替え処理によるマイコン処理負荷の軽減とユーザー操作応答を改善することができる。
【産業上の利用可能性】
【００５５】
本発明にかかる車載オーディオシステムは、コンテンツ再生機器の出力トラックとＨＭＩ機器からのコンテンツ再生機器命令に応答しながら、その出力トラックに適時応じた音響特性設定データによってオーディオ出力を行う音響再生装置からなるシステムとして用いるのに有用である。
【図面の簡単な説明】
【００５６】
【図１】実施の形態１における車載オーディオシステムの動作シーケンスの例を示す図
【図２】実施の形態１における音響再生装置の例を示す図
【図３】実施の形態１における音響再生装置のディスク情報受信処理のソフトウェア動作フローの例を示す図
【図４】実施の形態１における音響再生装置のコンテンツ再生機器操作情報受信処理のソフトウェア動作フローの例を示す図
【図５】実施の形態１における音響再生装置の音響特性設定データ更新判断処理のソフトウェア動作フローの例を示す図
【図６】実施の形態１における音響再生装置の音響特性設定データ切り替え処理のソフトウェア動作フローの例を示す図
【図７】実施の形態１における音響再生装置のトラックアップ／ダウン命令応答処理のソフトウェア動作フローの例を示す図
【図８】実施の形態１における音響再生装置のコンテンツ出力操作命令応答処理のソフトウェア動作フローの例を示す図
【図９】実施の形態１における音響再生装置の記憶部に形成されるディスクインデックステーブルの構成例を示す図
【図１０】実施の形態２における音響再生装置の音響特性設定データ切り替え処理のソフトウェア動作フローの例を示す図
【図１１】実施の形態２における音響再生装置のトラックアップ／ダウン命令応答処理のソフトウェア動作フローの例を示す図
【図１２】従来の車載オーディオシステムに用いられる再生装置システムを示す図
【符号の説明】
【００５７】
１２  音響再生装置
２１０  音響特性設定部
【図１】
2007318371.tif 000003
【図２】
2007318371.tif 000004
【図３】
2007318371.tif 000005
【図４】
2007318371.tif 000006
【図５】
2007318371.tif 000007
【図６】
2007318371.tif 000008
【図７】
2007318371.tif 000009
【図８】
2007318371.tif 000010
【図９】
2007318371.tif 000011
【図１０】
2007318371.tif 000012
【図１１】
2007318371.tif 000013
【図１２】
2007318371.tif 000014